【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
前段のフィルターからリーチ形式のデータを取得する取得手段と、
プレビュー設定がオンであるか判定する判定手段と、
前記判定手段によりプレビュー設定がオンであると判定された場合、前記取得手段により取得したリーチ形式のデータをストリーム形式のデータに変換する変換手段と、
前記変換手段により変換されたストリーム形式のデータに基づきプレビューを行うプレビュー手段と、
前記判定手段によりプレビュー設定がオンでないと判定された場合、前記取得手段により取得したリーチ形式のデータを後段のフィルターに送信する送信手段とを有することを特徴とする情報処理装置。
【請求項２】
前記変換手段は、プレビューに影響しないパーツを排したストリーム形式のデータに変換することを特徴とする請求項１の情報処理装置。
【請求項３】
プレビューフィルターが、前記取得手段、前記判定手段、前記送信手段を含み、
プレビューアが、前記変換手段は、前記プレビュー手段を含むことを特徴とする請求項１の情報処理装置。
【請求項４】
プレビューフィルターが、前記取得手段、前記判定手段、前記送信手段、前記変換手段は、前記プレビュー手段を含むことを特徴とする請求項１の情報処理装置。
【請求項５】
印刷設定を変更する変更手段と、
前記変更手段により変更された印刷設定に基づき、後段のフィルターに送信されるリーチ形式のデータを更新する更新手段とを有することを特徴とする請求項１の情報処理装置。
【請求項６】
前記プレビュー手段によりプレビューされた後の印刷指示に応じて、前記取得手段により取得したリーチ形式のデータを後段のフィルターに送信する手段を有することを特徴とする請求項１記載の情報処理装置。
【請求項７】
プレビュー設定がオンであるか判定する判定手段と、
前記判定手段によりプレビュー設定がオンであると判定された場合、前段のフィルターからリーチ形式のデータを取得し、取得したリーチ形式のデータをストリーム形式のデータに変換させ、変換されたストリーム形式のデータに基づきプレビューを行わせるプレビューフィルターに処理を実行させる手段と、
前記判定手段によりプレビュー設定がオンでないと判定された場合、前記プレビューフィルターを削除する削除手段とを有することを特徴とする情報処理装置。
【請求項８】
前段のフィルターからリーチ形式のデータを取得する取得手段と、
特定の機能がオンであるか判定する判定手段と、
前記判定手段により特定の機能がオンであると判定された場合、前記取得手段により取得したリーチ形式のデータをストリーム形式のデータに変換する変換手段と、
前記判定手段により特定の機能がオンでないと判定された場合、前記取得手段により取得したリーチ形式のデータを後段のフィルターに送信する送信手段とを有することを特徴とする情報処理装置。
【請求項９】
前段のフィルターからリーチ形式のデータを取得する取得ステップと、
プレビュー設定がオンであるか判定する判定ステップと、
前記判定ステップによりプレビュー設定がオンであると判定された場合、前記取得ステップにより取得したリーチ形式のデータをストリーム形式のデータに変換する変換ステップと、
前記変換ステップにより変換されたストリーム形式のデータに基づきプレビューを行うプレビューステップと、
前記判定ステップによりプレビュー設定がオンでないと判定された場合、前記取得ステップにより取得したリーチ形式のデータを後段のフィルターに送信する送信ステップとを有することを特徴とする情報処理方法。
【請求項１０】
前記変換ステップは、プレビューに影響しないパーツを排したストリーム形式のデータに変換することを特徴とする請求項９の情報処理方法。
【請求項１１】
プレビューフィルターが、前記取得ステップ、前記判定ステップ、前記送信ステップを実行し、
プレビューアが、前記変換ステップは、前記プレビューステップを実行することを特徴とする請求項９の情報処理方法。
【請求項１２】
プレビューフィルターが、前記取得ステップ、前記判定ステップ、前記送信ステップ、前記変換ステップは、前記プレビューステップを実行することを特徴とする請求項９の情報処理方法。
【請求項１３】
印刷設定を変更する変更ステップと、
前記変更ステップにより変更された印刷設定に基づき、後段のフィルターに送信されるリーチ形式のデータを更新する更新ステップとを有することを特徴とする請求項９の情報処理方法。
【請求項１４】
前記プレビューステップによりプレビューされた後の印刷指示に応じて、前記取得ステップにより取得したリーチ形式のデータを後段のフィルターに送信するステップを有することを特徴とする請求項９記載の情報処理方法。
【請求項１５】
プレビュー設定がオンであるか判定する判定ステップと、
前記判定ステップによりプレビュー設定がオンであると判定された場合、前段のフィルターからリーチ形式のデータを取得し、取得したリーチ形式のデータをストリーム形式のデータに変換させ、変換されたストリーム形式のデータに基づきプレビューを行わせるプレビューフィルターに処理を実行させるステップと、
前記判定ステップによりプレビュー設定がオンでないと判定された場合、前記プレビューフィルターを削除する削除ステップとを有することを特徴とする情報処理方法。
【請求項１６】
前段のフィルターからリーチ形式のデータを取得する取得ステップと、
特定の機能がオンであるか判定する判定ステップと、
前記判定ステップにより特定の機能がオンであると判定された場合、前記取得ステップにより取得したリーチ形式のデータをストリーム形式のデータに変換する変換ステップと、
前記判定ステップにより特定の機能がオンでないと判定された場合、前記取得ステップにより取得したリーチ形式のデータを後段のフィルターに送信する送信ステップとを有することを特徴とする情報処理方法。
【請求項１７】
前段のフィルターからリーチ形式のデータを取得する取得ステップと、
プレビュー設定がオンであるか判定する判定ステップと、
前記判定ステップによりプレビュー設定がオンであると判定された場合、前記取得ステップにより取得したリーチ形式のデータをストリーム形式のデータに変換する変換ステップと、
前記変換ステップにより変換されたストリーム形式のデータに基づきプレビューを行うプレビューステップと、
前記判定ステップによりプレビュー設定がオンでないと判定された場合、前記取得ステップにより取得したリーチ形式のデータを後段のフィルターに送信する送信ステップとをコンピュータに実行させるためのプログラム。
【請求項１８】
前記変換ステップは、プレビューに影響しないパーツを排したストリーム形式のデータに変換することを特徴とする請求項１７のプログラム。
【請求項１９】
プレビューフィルターが、前記取得ステップ、前記判定ステップ、前記送信ステップを実行し、
プレビューアが、前記変換ステップは、前記プレビューステップを実行することを特徴とする請求項１７のプログラム。
【請求項２０】
プレビューフィルターが、前記取得ステップ、前記判定ステップ、前記送信ステップ、前記変換ステップは、前記プレビューステップを実行することを特徴とする請求項１７のプログラム。
【請求項２１】
印刷設定を変更する変更ステップと、
前記変更ステップにより変更された印刷設定に基づき、後段のフィルターに送信されるリーチ形式のデータを更新する更新ステップとをコンピュータに実行させることを特徴とする請求項１７のプログラム。
【請求項２２】
前記プレビューステップによりプレビューされた後の印刷指示に応じて、前記取得ステップにより取得したリーチ形式のデータを後段のフィルターに送信するステップを有することを特徴とする請求項１７記載のプログラム。
【請求項２３】
プレビュー設定がオンであるか判定する判定ステップと、
前記判定ステップによりプレビュー設定がオンであると判定された場合、前段のフィルターからリーチ形式のデータを取得し、取得したリーチ形式のデータをストリーム形式のデータに変換させ、変換されたストリーム形式のデータに基づきプレビューを行わせるプレビューフィルターに処理を実行させるステップと、
前記判定ステップによりプレビュー設定がオンでないと判定された場合、前記プレビューフィルターを削除する削除ステップとコンピュータに実行させるプログラム。
【請求項２４】
前段のフィルターからリーチ形式のデータを取得する取得ステップと、
特定の機能がオンであるか判定する判定ステップと、
前記判定ステップにより特定の機能がオンであると判定された場合、前記取得ステップにより取得したリーチ形式のデータをストリーム形式のデータに変換する変換ステップと、
前記判定ステップにより特定の機能がオンでないと判定された場合、前記取得ステップにより取得したリーチ形式のデータを後段のフィルターに送信する送信ステップとをコンピュータに実行させるプログラム。